(57)【特許請求の範囲】
【請求項１】
互いに分離された複数の光源部が共通基体上に配され、前記複数の光源部からの各出射光が互いに偏光状態の異なる複数の光ビームとして導かれ、これらの光ビームの光路上に偏光特性を利用した光軸変更手段が配され、この光軸変更手段によって前記複数の光ビームの光軸が実質的に同一となされ、これらの光ビームが対物レンズに入射するように構成されている、光学装置において、
前記光軸変更手段が、前記対物レンズの手前に設けられた偏光ホログラム及び異方性結晶からなり、前記複数の光ビームのうち所定の光ビームが、前記異方性結晶によって光軸変更された後に前記偏光ホログラムによって開口制限され、光軸変更されない他の光ビームと実質的に同一の光軸で前記対物レンズに入射するように構成されていることを特徴とする光学装置。
【請求項２】
前記複数の光源部とビームスプリッタと光検出部とを集積した複合光学素子が共通基体上に配され、前記複合光学素子から、直線偏光であってかつ偏光状態がそれぞれ異なる前記複数の光ビームが実質的に平行方向に出射されるように構成されている、請求項１に記載した光学装置。
【請求項３】
第１の光源部と第１のビームスプリッタと第１の光検出部とを集積した第１の複合光学素子と、第２の光源部と第２のビームスプリッタと第２の光検出部とを集積した第２の複合光学素子とがそれぞれ、共通のパッケージ内に収容されている、請求項１に記載した光学装置。
【請求項４】
第１の光源部と第２の光源部とが、これらに共通のビームスプリッタと共に光検出部を設けた共通基板上に配され、共通のパッケージ内に収容されている、請求項１に記載した光学装置。
【請求項５】
前記複数の光ビームが、それぞれ直線偏光であってかつ９０度方位の異なる偏光状態を有する２つの光ビームである、請求項１に記載した光学装置。
【請求項６】
前記複数の光ビームがそれぞれ同一若しくは異なる波長を有している、請求項１に記載した光学装置。
【請求項７】
それぞれ同一の偏光状態である前記複数の光ビームを出射する各光源部が、それぞれ９０度異なる方位で設けられている、請求項１に記載した光学装置。
【請求項８】
それぞれ９０度方位の異なる偏光状態である前記複数の光ビームを出射する光源部が設けられている、請求項１に記載した光学装置。
【請求項９】
第１の光源部が設けられている面が前記共通基体に対して水平に設けられ、第２の光源部が設けられている面が前記共通基体に対して垂直に設けられている、請求項８に記載した光学装置。
【請求項１０】
ＴＭモード発振する第１の光源部と、ＴＥモード発振する第２の光源部とが設けられている、請求項３に記載した光学装置。
【請求項１１】
前記複数の光ビームが前記対物レンズを介して信号記録面に入射され、この際、前記複数の光ビームが選択的に入射されるように構成した、請求項１に記載した光学装置。
【発明の詳細な説明】
【０００１】
【発明の属する技術分野】
本発明は、光学特性の異なる複数の光ビームを用いる光学装置（特に光ディスク用光学ピックアップ）に関するものである。
【０００２】
【従来の技術】
光ディスクシステムが多様化するなかで、例えば、ＣＤ（コンパクトディスク）、ＣＤ−Ｒ（レコーダブル）、ＭＤ（ミニディスク）、ＤＶＤ（デジタルビデオディスク）等のように、レーザ光の互換性の無い光ディスクが増えている。
【０００３】
このような環境下で、例えば、ＣＤ用の７８０ｎｍ（又は７９０）波長帯のレーザダイオードと、ＤＶＤ用の６３５ｎｍ（又は６５０）波長帯のレーザダイオードとを有する２波長対応（２ディスク対応）の光学ピックアップが作製されている。
【０００４】
２ディスク対応の光学ピックアップとしては、例えば、フォーマットが異なる光ディスク毎に光学ピックアップを用意した構成（２レンズタイプ）や、波長選択ホログラムなどを利用して開口制限等を行い、１つの対物レンズでフォーマットの異なる光ディスクに対応する構成（１レンズタイプ）等が知られている。
【０００５】
しかしながら、フォーマットが異なる光ディスク毎に光学ピックアップを用意した装置（２レンズタイプ）では、光ディスクシステムの大型化やコストの上昇をもたらしている。また、一般に、２つのレーザダイオードや光検出器（フォトダイオード）等をそれぞれ異なる基板上に作製した光学ピックアップの調整は難しく、また、全体（光学ピックアップ）のサイズが大きくなると同時に、その部品点数も多くなる。
【０００６】
また、１レンズタイプの２ディスク対応光学ピックアップとして、例えば、図１７に示すようなＬＤ（レーザダイオード）−ＰＤ（フォトダイオード）ユニットを用いたＤＶＤ−ＣＤ用２波長対応の光学ピックアップが知られている。
【０００７】
この光学ピックアップは、ＣＤ及びＤＶＤの再生が可能な光学ピックアップであって、フォトダイオード１１２ａとレーザダイオード１１２ｂとを有するＤＶＤ用のＬＤ−ＰＤユニット１１１ｂと、同じようにフォトダイオードとレーザダイオードとを有するＣＤ用のＬＤ−ＰＤユニット１１１ａとを有しており、さらに、これらのユニットから出力される光ビームの光軸上には、波長フィルター１１３、集光レンズ１１４、立ち上げミラー１１５、偏光ホログラム１１６、開口フィルター及び波長板１１７、対物レンズ１１８が設けられている。
【０００８】
この光学ピックアップにおいて、ＣＤの再生時には、発光点隔差を設けることによって球面収差を補正すると共に、多層膜開口フィルターによる開口制限をしており、この多層膜開口フィルターは内周部を多層構造の反射防止膜、外周部を短波長透過フィルターとしているので、ＤＶＤの再生に対しては、波長が変化しても位相差が生じないように構成されている。また、信号検出用ホログラムとしては再生光量の確保のために偏光ホログラム１１６が採用されており、さらに、波長板１１７は、波長７９０ｎｍの光ビームに対してはλ板、波長６５０ｎｍの光ビームに対しては１／４λ板相当になるように設計されている。
【０００９】
【発明が解決しようとする課題】
しかしながら、上述した構成の光学ピックアップでは、波長フィルター１１３や波長板１１７などの波長選択性を有する光学部品が用いられており、それぞれの波長の違いを利用して光ビームの光軸と一致（合軸）させたり或いは分離を行っているが、温度変化等によってレーザ光の発振波長が変化し易く、また、ＤＶＤ（波長６５０ｎｍ）とＣＤ（波長７９０ｎｍ）では、その波長領域が近いこともあって、波長の選択性のみを利用した合軸／分離手段では、その十分な消光比をとることが難しい。
【００１０】
さらに、このような光学ピックアップを構成するためには、上述したように多くの光学部品を使わざるをえず、また、その組み立て工程も煩雑になるために、小型化、低コスト化には不向きである。
【００１１】
【発明に至る経過】
このような実情に鑑みて、本出願人は、特願平８−１５４８３９号（平成８年５月２７日出願）にて、図１２〜図１５に示す如く、共通のパッケージ内（又は基板上）に、互いに分離された２つの光源部を搭載した２波長対応の光学ピックアップを作製した。
【００１２】
図１２は、フォトダイオード８４ａ及び８４ｂを有するフォトダイオードＩＣ基板（ＰＤＩＣ）８３上に、それぞれ異なる発振波長を有するレーザダイオード８１ａ及び８１ｂが設けられているＰＩＮフォトダイオードチップ（ｐｉｎ−ＰＤチップ）８２と、前記各波長に対応するプリズム８５とを有する複合光学素子（レーザカプラ：ＬＣ）８０である。
【００１３】
具体的には、ＰＩＮフォトダイオードチップ８２には段が形成されており、この段の下段部には、あるフォーマットのレーザダイオード８１ａが設けられ、前記段の上段部には、レーザダイオード８１ａとはフォーマットの異なるレーザダイオード８１ｂが設けられている。また図示省略するが、各レーザダイオードの後部側には、各フォーマットに最適化されたレーザ光強度検出用のフォトダイオードがそれぞれ設けられている。
【００１４】
また、図１３は、互いに異なるフォーマットであって、それぞれの発振波長に対応するレーザダイオードとプリズムとフォトダイオードとを有するレーザカプラ８７ａ及び８７ｂが、図示の如くに並列に配されているチップ９３である。
【００１５】
また、図１４は、フォトダイオード９２ａ及び９２ｂを有する共通基板（ＰＤＩＣ）９０上に、レーザダイオード８９ａ及び８９ｂとこれらに共通のマイクロプリズム９１とが一体化されているレーザカプラ８８であり、さらに、図１５は、共通のｐｉｎ−ＰＤチップ１０３上にレーザダイオード１０１ａとレーザダイオード１０１ｂとを有し、これがフォトダイオード（ＣＤ−ＰＤ）１０２ｂとフォトダイオード（ＤＶＤ−ＰＤ）１０２ａとを有する共通のフォトダイオードＩＣ（図示省略）上に設けられたレーザカプラ１０４である。
【００１６】
図１２〜図１５に示したように、２つの光源（レーザダイオード）を有する光学装置はいずれも、共通基板上に各光源部を有しており、また、図示省略するが、互いに光学特性の異なる２つの光ビームは、近接したほぼ平行な光軸を有しているので、比較的高い消光比でその光軸合わせを行うことができ、さらに、その合軸／分離のために必要な光学部品の点数も少なく、小型化、低コスト化が十分に可能な光学ピックアップである。
【００１７】
このような２波長対応の光学ピックアップの作製上、用いられる対物レンズを共有とする（即ち、１つである）ことが望ましい。これは、ハード構成をさらに簡素化できる上、低コスト化、小型化、軽量化が実現できるためである。
【００１８】
しかしながら、実際問題として、対物レンズの共有を考えると、レンズの視野の関係から、２つのレーザダイオード間の距離を小さくしてチップレベルでの実装を行わざるを得ず、制限された構成となり易い。
【００１９】
また、実際の製造プロセスを考慮すると、特に図１３〜図１５に示した光学装置が有用であると考えられる。しかしながら、この場合、波長選択性を有するホログラム等を使用し、対物レンズの視野内に２つの光ビームが納まるように光軸変更手段が必要である。
【００２０】
ここで、波長選択性を有する光軸変更手段の一例を図１６に示す。これは、ホログラフィック光学素子（Holographic Optical Element : ＨＯＥ）であって、図１６（Ａ）に示す如く、対物レンズ１０６とホログラフィック光学素子１０５とを組み合わせることによって、互いに異なる波長を有する２つの光ビームの光軸を合わせることが可能な光学部品である。
【００２１】
つまり、図１６（Ｂ）に示す如く、例えば波長６５０ｎｍの０次の光ビーム（ＤＶＤ対応）はＨＯＥ１０５ａ（平行平板）にて回折されないが、図１６（Ｃ）に示す如く、波長７８０ｎｍの＋１、０、−１次の光ビーム（ＣＤ対応）は、ＨＯＥ１０５ｂにて球面収差がキャンセルされて回折し、これら２つの光ビームの光軸が合わせられる。即ち、ＨＯＥ１０５表面のスリットのサイズ等を適宜調節すれば、一方の光ビームを透過させ、他方の光ビームの光軸を曲げて、２つの光ビームの光軸合わせを行うことができる。
【００２２】
従って、図１２〜図１５に示した如き光学装置を用い、その光軸を合わせるためには、２つの光ビームの波長が異なれば〔例えば、ＣＤ（波長７８０ｎｍ）、ＤＶＤ（波長６５０ｎｍ）の互換用途〕、図１７に示した波長フィルターや図１６に示したホログラフィック光学素子（波長選択ホログラム）等を用いて光軸変更（合軸／分離）できる。
【００２３】
ところが、波長選択性を利用した光軸変更は、温度変化等による発振波長の変化や、例えば６５０ｎｍ帯域と７８０ｎｍ帯域ではその発振波長が近い等の理由で、かなり複雑で部品点数の多い光軸変更手段を講じなければならず、また、それぞれの光ビームを十分な消光比をもって操作することが難しいという課題が未だ残されている。
【００２４】
さらに、例えばＣＤ−ＲやＣＤ−ＲＷ（リライタブル）の書き込み(write) ／読み込み(read)を行う場合（具体的には、例えば波長７８０ｎｍでの高出力レーザと低出力レーザを使用する場合）、即ち、２つの光ビームの波長が近い或いは同じ場合、前述した波長選択性を有する光学部品では光軸変更できない。
【００２５】
本発明は、上述した実情に鑑みてなされたものであり、その目的は、少なくとも２つの光ビームを用いた光学装置を構成するに際し、特にそれぞれの光ビームの波長が近い若しくは同じ場合でも、簡便かつ高精度に光軸変更することができ、さらに簡易な構成で小型化及び低コスト化可能な光学装置を提供することにある。
【００２６】
【課題を解決するための手段】
即ち、本発明は、互いに分離された複数の光源部が共通基体上に配され、前記複数の光源部からの各出射光が互いに偏光状態の異なる複数の光ビームとして導かれ、これらの光ビームの光路上に偏光特性を利用した光軸変更手段が配され、この光軸変更手段によって前記複数の光ビームの光軸が実質的に同一となされ、これらの光ビームが対物レンズに入射するように構成されている、光学装置において、
前記光軸変更手段が、前記対物レンズの手前に設けられた偏光ホログラム及び異方性結晶からなり、前記複数の光ビームのうち所定の光ビームが、前記異方性結晶によって光軸変更された後に前記偏光ホログラムによって開口制限され、光軸変更されない他の光ビームと実質的に同一の光軸で前記対物レンズに入射するように構成されていることを特徴とする光学装置（以下、本発明の光学装置と称する。）に係るものである。
【００２７】
本発明の光学装置によれば、前記共通基体上に設けられた光源部からの複数の出射光が、それぞれ互いに偏光状態の異なる光ビームとして導かれ、さらに、これらの光ビームの光路上に、異方性結晶及び偏光ホログラムからなる、偏光特性を利用した光軸変更手段が配され、この光軸変更手段を構成する異方性結晶によって前記複数の光ビームのうち所定の光ビームが他の光ビームと実質的に同一光軸上に光軸変更（合軸）されるように構成されているので、光学部品点数を減じ、さらに、高精度の光学装置（特に、光学ピックアップ）を構成できる。
【００２８】
つまり、共通基体上に前記複数の光源部が設けられており（特に、１つのパッケージ内に配することが可能であり）、また光学系を構成する光学部品の点数も少ないので、小型化、低コスト化が可能であると同時に、複数の光ビームの光軸変更を実現するに際し、各々の光ビームの偏光状態の違いを利用しているので、光学系における透過光強度を十分に確保し、高い消光比を得ることができる。しかも、光軸変更された光ビームは更に偏光ホログラムによって開口制限を受ける（球面収差が補正される）ので、より高精度に結像させることができる。
【００２９】
また、本発明の光学装置における光ビームの出射を行う光ビーム出射装置として、共通基体上に互いに分離された複数の光源部を有し、この共通基体から、互いに偏光状態が異なっており、かつ、実質的に平行方向に光軸を有する複数の光ビームが出射されるように構成されているのがよい。
【００３０】
なお、本発明において「光軸変更」とは、複数の光ビームのうち少なくとも１つの光ビームの光軸を変更して他の光ビームの光軸と実質的に同一の光軸となるように光軸を合わせること（合軸）を意味し、また、「偏光特性を利用した光軸変更手段」とは、各々の光ビームの偏光状態の違いによる選択性を利用する光学部品（偏光ホログラムや異方性結晶）であって、特に光学ピックアップを構成する場合は、対物レンズと一体であってもよいし、対物レンズとは空間的に離れていてもよく、これによって焦点合わせや開口制限なども実現できる。
【００３１】
また、「共通基体」とは、前記光源部が配される基体が共通であることを意味し、例えば、半導体基体（例えばフォトダイオードＩＣ基板）やパッケージのハウジング等が挙げられる。また、「互いに分離された複数の光源部」とは、例えば、互いに分離されたレーザダイオード等であってもよいし、１つの半導体レーザにおける互いに分離された複数の光源部（発光部）であってもよい。
【００３２】
さらに、「光ビーム出射装置」とは、少なくとも前記複数の光ビームの出射を行う（望ましくはその検出も行う）ことが可能な装置であり、「光学装置」とは、光ビーム出射装置と、偏光特性を利用した光軸変更手段とを組み合わせた装置（例えば光学ピックアップ）を意味する。
【００３３】
【発明の実施の形態】
まず、本発明の光学装置と光ビーム出射装置について説明する。
【００３４】
本発明の光学装置において、前記複数の光源部とビームスプリッタと光検出部とを集積した複合光学素子（レーザカプラ）をパッケージ等の共通基体上に配し、この共通基体から、直線偏光であってかつ偏光状態がそれぞれ異なる複数の光ビームが実質的に平行方向に出射するよう構成できる。例えば、光源部としてレーザダイオード（ＬＤ：Laser Diode ）を用いる場合、直線偏光であって偏光状態がそれぞれ異なる複数の光ビームを出射する複数のレーザダイオードを備えたレーザカプラ（ＬＣ：Laser Coupler ）を１つのパッケージ内に配することで、本発明に基づく光学装置（特に光学ピックアップ）を構成できる。
【００３５】
即ち、互いに偏光状態が異なり、かつその光軸がほぼ平行方向となるように出射される複数の光ビームの光軸を変更する（即ち、光軸を合わせる）ためには、その光軸上に、例えば偏光ホログラム等の偏光特性を利用した光軸変更手段を配するだけでよく、従って、光学系における部品点数を減じて簡易な構成で光軸変更でき、さらに、その光軸を大きく変更するものでなく、また、偏光特性を利用した光軸変更であるので、温度変化（波長変化）等による影響が少なく、消光比の高い光学装置（特に光学ピックアップ）を構成できる。
【００３６】
また、本発明の光学装置及び光ビーム出射装置においては、第１の光源部と第１のビームスプリッタと第１の光検出部とを集積した第１の複合光学素子（ＬＣ）と、第２の光源部と第２のビームスプリッタと第２の光検出部とを集積した第２の複合光学素子（ＬＣ）とがそれぞれ、共通のパッケージ内に収容されていてもよい。
【００３７】
または、第１の光源部と第２の光源部とが、これらに共通のビームスプリッタ（例えば共通のプリズム）と共に、光検出部（例えばフォトダイオード）が設けられた共通基板上に配され、共通のパッケージ内に収容されていてもよい。
【００３８】
また、本発明の光学装置及び光ビーム出射装置においては、前記複数の光ビームが２つの光ビームであって、それぞれ直線偏光であってかつ９０度方位の異なる偏光状態であることが望ましい。このような光学特性の光ビーム（即ち、互いに異なる偏光状態にある光ビーム）の光軸を、偏光特性を利用した光軸変更手段によって変更（即ち合軸）することは、波長選択性を利用した光軸変更手段による光軸変更よりも簡便であり、かつ高い消光比が得られる。
【００３９】
前記２つの光ビームは、例えば、一方の光ビームがＳ偏光であれば、他方の光ビームはＰ偏光であってよい。また、一方の光ビームがＴＭモードであれば他方の光ビームがＴＥモードであってよい。
【００４１】
ここで、図１〜３を参照に、光ディスクの光学ピックアップに用いる光軸変更手段の具体的構成例を示す。
【００４２】
図１は、光軸変更手段としてホログラム一体型対物レンズを用いて光軸変更、最適焦点距離を与える例である。なお、ホログラム一体型対物レンズ３とは、例えば図示の如く、対物レンズの１面にスリット状の回折格子（ホログラム）３ａが設けてあり、入射する光ビームの偏光状態によってその光軸変更を実現するレンズである。
【００４３】
図１において、パッケージ１ａから実質的に平行方向に出射された互いに異なる２つの偏光状態を有する光ビーム（例えば、図中破線で示される波長７８０ｎｍのＳ偏光と、図中実線で示される波長６５０ｎｍのＰ偏光）は、ホログラム一体型対物レンズ３を介して光軸の変更（光軸合わせ又は合軸）、さらに最適焦点距離の調節が行われ、光ディスク２の信号記録面４ａ又は４ｂに記録された信号の読み取り（又は書き込み）を行うことができる。
【００４４】
即ち、例えば、波長６５０ｎｍのＰ偏光はホログラム一体型対物レンズ３にて光軸変更されずにそのまま通過し、適当な焦点距離をもって光ディスク２の信号記録面に入射するが、波長７８０ｎｍのＳ偏光はホログラム一体型対物レンズ３にてその光軸が変更され、さらに、球面収差が補正されて、光軸変更されない波長６５０ｎｍのＰ偏光と実質的に同じ光路（光軸）をとるようになる。
【００４５】
特に、図１に示した構成のピックアップでは、互いに異なる偏光状態の光ビームに対してそれぞれ異なった焦点位置を与えることができ、ディスク厚（即ち、信号記録面までの距離）がそれぞれ異なる例えばＣＤとＤＶＤとのフォーマットに対して機械的な可動機構を必要とせずに、それぞれの記録層へ選択的に光ビームを入射させその反射光（即ち情報）を得ることが十分に可能である。また、例えば２つの記録層を有する光ディスクにも対応可能である。
【００４６】
ところで、一般に、ＤＶＤはＣＤに比べピットが小さい（記録容量が大きい）ため、高ＮＡの対物レンズを使用しなければならない。対物レンズをＤＶＤ、ＣＤで共有する場合、ＤＶＤに合わせた高ＮＡの対物レンズを使用するが、この時、この高ＮＡレンズでＣＤを再生すると球面収差の影響で上手く焦点が合わない（ＤＶＤ、ＣＤでディスク厚が異なるため、収差が発生する）。そこで、ホログラム一体型対物レンズで２焦点をつくり、前述した光軸変更と同時に、球面収差の補正をも行うことができる。
【００４７】
図２は、光軸偏光手段として偏光ホログラムを用い、偏光ホログラムと対物レンズとによって光軸変更及び開口制限を与える例である。
【００４８】
図２において、パッケージ１ｂから実質的に平行方向に出射される互いに異なる偏光状態の２つの光ビーム（例えば、図中実線で示される波長７８０ｎｍのＳ偏光と、図中破線で示される波長６５０ｎｍのＰ偏光）は、偏光ホログラム５によって光軸変更されると同時に開口制限され、対物レンズ６を介して光ディスク２の信号記録面４に入射し、記録信号の読み取り（又は書き込み）を行うことができる。
【００４９】
即ち、例えば、図中破線で示される波長６５０ｎｍのＰ偏光は、偏光ホログラム５にて光軸変更されずにそのまま通過して対物レンズ６に入射し、適当な焦点距離をもって光ディスク２の信号記録面４に入射するが、図中実線で示される波長７８０ｎｍのＳ偏光は偏光ホログラム５にてその光軸が変更され、さらに開口制限を受けて光軸変更されない波長６５０ｎｍのＰ偏光と実質的に同じ光路（光軸）をとって対物レンズ６に入射し、適当な焦点距離をもって（球面収差が補正されて）光ディスク２に入射される。
【００５０】
従って、偏光ホログラムと対物レンズとを有するのみで、光軸変更、最適焦点距離の調節（球面収差の補正）等を実現することができ、かつ、それぞれの光ビームの強度を十分に保ちながら伝達できるので、消光比が高く、高精度の光学ピックアップを実現できる。
【００５１】
図３は、光軸変更手段として異方性結晶板７を用いて光軸変更し、さらに偏光ホログラム８で開口制限する本発明の光学装置の例である。
【００５２】
図３において、パッケージ（ＰＫＧ）１ｃから実質的に平行方向に出射される互いに異なる偏光状態を有する２つの光ビーム（例えば、図中実線で示される波長７８０ｎｍのＳ偏光と、図中破線で示される波長６５０ｎｍのＰ偏光）は、異方性結晶板（例えばサバール板）７にて光軸変更され、この後、偏光ホログラム８にて開口制限（球面収差の補正）を与えられる。そして、偏光ホログラム８を出射する各光ビームは、適当な焦点距離をもって図示省略した光ディスクに入射するように構成されている。
【００５３】
即ち、上述したように、例えば、図中破線で示される波長６５０ｎｍのＰ偏光は、異方性結晶板７にて光軸変更されずにそのまま通過して対物レンズ６に入射し、適当な焦点距離をもって光ディスクの信号記録面に入射するが、図中実線で示される波長７８０ｎｍのＳ偏光は異方性結晶板７にてその光軸が変更され、さらに偏光ホログラム８にて開口制限を受けて（球面収差が補正されて）、光軸変更されない波長６５０ｎｍのＰ偏光と実質的に同じ光路（光軸）をとって対物レンズ６に入射し、適当な焦点距離をもって光ディスクに入射される。
【００５４】
この光学ピックアップでは、サバール板等の異方性結晶板で２つの光ビームの光軸変更を行っており、簡易な構成で高精度の光学ピックアップを構成できる。
【００５５】
なお、図１〜図３では、２つの光ビームが互いに異なる波長を有している場合を示したが、これらの光ビームが同一或いはほぼ同一の波長を有している場合でも、同様の構成で光ビームの光軸変更（光軸合わせ）を実現できる。また、Ｐ偏光やＳ偏光なども限定されるものではない。
【００５６】
このように、図１〜図３に示した光学ピックアップは、簡便な構成で（即ち、部品点数が少なく）光軸変更（光軸合わせ又は合軸）、さらには球面収差の補正を行うことができ、また、その偏光特性を利用した構成であるので、光学系での光ビームの強度低下等を最小限に抑えることができ、高い消光比で２つの光ビームを操作できる。
【００５７】
本発明の光学装置及び光ビーム出射装置においては、前記複数の光ビームがそれぞれ同一若しくは異なる波長を有していてもよい。即ち、同じ波長を有する複数の光ビームであっても、異なる波長を有する複数の光ビームであっても、高精度かつ簡便に光軸変更を行うことができる。
【００５８】
また、本発明の光学装置及び光ビーム出射装置においては、例えば、それぞれ同一の偏光状態である２つの光ビームを出射する各光源部を、それぞれ９０度異なる方位で設けることができる（図４参照）。
【００５９】
或いは、それぞれ９０度方位の異なる偏光状態の前記複数の光ビームを出射する光源部が設けられていてもよい（図５〜図７参照）。この光ビーム出射装置は、例えば、第１の光源部が設けられている面を前記共通基体に対して水平に設け、第２の光源部が設けられている面を前記共通基体に対して垂直に設けることによって構成できる。または光源部のみを互いに９０度方位が異なるように形成してもよい。
【００６０】
また、本発明の光学装置及び光ビーム出射装置においては、ＴＭモード（Transverse Magnetic wave）発振する第１の光源部（レーザダイオード）と、ＴＥモード（Transverse Electric wave）発振する第２の光源部（レーザダイオード）とが設けられていてもよい（図１０参照）。これらのモードは互いに９０度偏光状態の異なる光ビームである。
【００６１】
また、本発明の光学装置では、前記複数の光ビームが対物レンズを介して信号記録面に入射され、この際、前記複数の光ビームが選択的に入射されるように構成することができる。
【００６２】
以下、本発明を望ましい実施の形態について説明する。
【００６３】
第１の実施の形態
図４を参照に第１の実施の形態を説明する。なお、光軸変更手段や対物レンズ等の他の光学系は、図１〜図３に示した光学ピックアップ等に準じて適宜構成できる（以下、各実施の形態も同様）。
【００６４】
本実施の形態に基づく光ビーム出射装置は、図示の如く、２つの異なるフォーマットのレーザカプラが、互いに９０度異なる向きで共通のパッケージ内に収容されてなるものである。
【００６５】
まず、本実施の形態に使用されるレーザカプラの構成を説明する。図４（Ｃ）に示す如く、表面領域に光信号検出用のフォトダイオード（ＰＤ）１６及び１７が設けられたフォトダイオードＩＣ（ＰＤＩＣ）基板１５上に、光源部であるレーザダイオード（ＬＤ）１２と、出射光ビームと入射光ビームとを分割するビームスプリッタ（ビームスプリット面）１９を有するプリズム１３とが取り付けられている。ここで、フォトダイオードＩＣ基板は、フォトダイオードの他、信号の電流−電圧変換アンプや演算処理部などがＩＣ化されたものである。
【００６６】
なお、レーザダイオード１２は、表面領域にＰＩＮフォトダイオード（ｐｉｎ−ＰＤ）１８が設けられたシリコンチップ（ｐｉｎ−ＰＤチップ）１４を介して、ＰＤＩＣ１５に取り付けられる。このｐｉｎ−ＰＤチップ１４に設けられたＰＩＮフォトダイオード１８は、レーザダイオード１２の出力を制御する目的で設けられており、そのレーザダイオード１２の後面側から出射するレーザ光をモニタするためのものである。
【００６７】
また、レーザダイオード１２の前面から出射したレーザ光は、プリズム１３のビームスプリッタ（ビームスプリット面）１９でほぼ直角方向に反射され、図示省略するが、パッケージ１０上部の透明カバーガラス、対物レンズ等の光学系を介して光ディスクの信号記録面に導かれる。一方、光ディスクの信号記録面で反射されたレーザ光は、前記光学系を介してプリズム１３のビームスプリット面１９を透過し、フォトダイオード１６及び１７で検出される。
【００６８】
本実施の形態に基づく光ビーム出射装置としてのパッケージ（ＰＫＧ）１０内には、このパッケージ１０のハウジング１０Ａを共通基体として、上記のような構成を有する２つのレーザカプラ１１ａ及び１１ｂが、図４（Ａ）及び図４（Ｂ）に示す如く、それぞれ９０度異なる方位をもってマウントされている。
【００６９】
なお、具体的な構成として、発振波長７８０ｎｍのレーザダイオード１２ａと、発振波長６５０ｎｍのレーザダイオード１２ｂとを用い、プリズム１３ａ及び１３ｂ、フォトダイオードＩＣ１５ａ及び１５ｂ、ｐｉｎ−ＰＤチップ１４ａ及び１４ｂを、それぞれのレーザカプラに搭載したレーザダイオードの発振波長に最適化すれば、例えばＣＤ−ＤＶＤの２ディスク対応の光学ピックアップを作製できる。
【００７０】
また、これらのレーザカプラは、例えば、フォトダイオードＩＣ基板上に、レーザダイオードが通常の構成で設けられた（即ち、水平マウントされた）ｐｉｎ−ＰＤチップ（以下、ＬＤを有するｐｉｎ−ＰＤチップを「ＬＯＰ（Laser On Photodiode ）」と称することがある。）をマウントし、さらにプリズムの形成及びダイシング分離を行った後、ダイボンディング工程（ＤＢ工程）を経て、パッケージ内に収容される。
【００７１】
即ち、このような構成のレーザカプラを有するパッケージ１０から実質的に平行方向に出射されるレーザ光は、レーザダイオード１２ａ及び１２ｂから出射された時点では偏光状態が同一であるので、パッケージ１０からは、それぞれ９０度異なる偏光状態で出射される。従って、互いに偏光状態の９０度異なる２つの光ビームは、図１〜図３に示した光学系にて、光軸変更手段にて光軸変更され、さらに対象とする光ディスクの特性に合わせて焦点深さ（焦点距離）が変えられ、或いはまた、対象とする光ディスクの特性に合わせて開口制限されて、ディスクの信号記録面に入射し、その記録情報を読み取ることができる。
【００７２】
なお、前記パッケージは、例えば、リードフレーム構造のパッケージ、セラミックパッケージ、モールドパッケージなどから選ばれる（以下、同様）。
【００７３】
第２の実施の形態
図５を参照に第２の実施の形態を説明する。
【００７４】
本実施の形態に基づく光ビーム出射装置は、共通のパッケージ内に２つのレーザカプラを互いに並列に配し、それぞれのレーザダイオードからの出射光ビームが、出射された時点で互いに９０度異なる偏光状態となるように構成したものである。
【００７５】
即ち、レーザカプラ２２ａ及び２２ｂに関し、レーザダイオード２３ａはパッケージ２１に対して水平方向にマウントされているが、他方のレーザダイオード２３ｂはパッケージ２１に対して垂直方向にマウントされている。但し、本実施の形態では、レーザダイオード２３ｂが設けられたｐｉｎ−ＰＤチップ２４ｂ（即ち、ＬＯＰ２５ｂ）を、フォトダイオードＩＣ２７ｂ上に、レーザダイオード２３ａから出射されるレーザ光とは互いに９０度異なる向きの直線偏光が出射されるようにマウントする。この９０度方位を逆にするＬＯＰ２５ｂは、例えば、フォトダイオードＩＣ上にＬＯＰを配置する装置を用い、通常のＬＯＰのマウントにおいて、ＬＯＰ供給シートによるピックアップの後にこれを中間ステージに一時移し、９０度反転の後、フォトダイオードＩＣ上にマウントすればよい。
【００７６】
このようにレーザダイオード（特にＬＯＰ）の向きを調整することによって、パッケージ２１から、それぞれ直線偏光であってかつ９０度方位の異なる偏光状態を有するレーザ光が実質的に平行方向に出射される。
【００７７】
従って、レーザカプラ２２ａ及び２２ｂに関し、別々の波長設計のプリズムやフォトダイオードＩＣ等を使用することができ、例えばＣＤ−ＤＶＤの２波長対応光学ピックアップを作成する場合には、レーザダイオード２２ａとして波長６５０ｎｍの発振波長を有するレーザダイオード、プリズム２６ａとして波長６５０ｎｍ設計のマイクロプリズム、ＰＤＩＣ２７ａとして波長６５０ｎｍ設計のＰＤＩＣを使用することができ、同様にレーザカプラ２２ｂは、波長７８０ｎｍ対応に設計できる。
【００７８】
なお、本実施の形態では、熱特性に劣るレーザダイオードを水平にマウントすることが望ましい。一般に、レーザダイオードの発熱をコントロールするためにｐｉｎ−ＰＤチップ等にはヒートシンクが設けられるが、レーザダイオード、特にその活性層における熱の制御（熱の移動効率）を考慮すると、熱特性に劣るレーザダイオードを水平マウントして、これを制御し易いように構成することが望ましい。
【００７９】
例えば、発振波長７８０ｎｍのレーザダイオード（ＣＤ用）と発振波長６５０ｎｍのレーザダイオード（ＤＶＤ用）とを用いる場合、一般に発振波長６５０ｎｍのレーザダイオードの方が熱特性に劣るので、これを水平マウントし、発振波長７８０ｎｍのレーザダイオードを垂直マウントすることが望ましい。また、発振波長が同一であって出力強度の異なるレーザダイオードを用いる場合、レーザ光強度の大きな方のレーザダイオードを水平マウントすることが望ましい。
【００８０】
次に、本実施の形態に基づく光源部の作成手順を図８を参照に説明する。図８は、水平マウントされるＬＯＰ２５ａに対して９０度方位が異なるようにマウント（垂直マウント）されたＬＯＰ２５ｂについて、フォトダイオードＩＣ２７ｂ上に半田５３ａが予めパターニングされている例である。
【００８１】
即ち、図８（Ａ）に示したように、ｐｉｎ−ＰＤチップ２４ｂ内に所定の配線構造（ワイヤ５１を介して所定の演算部に接続されているＰメタルパッド５２ａとＮメタルパッド５２ｂ）を有し、かつその所定位置にレーザダイオード２３ｂを有するＬＯＰ２５ｂと、半田５３ａが所定形状にパターニングされ、所定のＩＣ構造を有するフォトダイオードＩＣ２７ｂとを、図示の如く接着することによって、図８（Ｂ）に示すように、フォトダイオードＩＣ２７ｂ上に、ｐｉｎ−ＰＤチップ２４ｂとその側面部に配置されたレーザダイオード２３ｂとからなるＬＯＰ２５ｂをマウントできる。
【００８２】
第３の実施の形態
図６を参照に第３の実施の形態を説明する。
【００８３】
本実施の形態に基づくレーザ光出射装置は、１つのパッケージ内に２つのレーザカプラを並列に配し、それぞれのレーザダイオードからの出射光ビームが、互いに９０度異なる偏光状態となるように構成したものであって、基本的には第２の実施の形態と同様のものである。
【００８４】
即ち、レーザカプラ３１ａ及び３１ｂに関し、一方のレーザダイオード２３ａはパッケージ２１に対して水平方向にマウントされているが、他方のレーザダイオード２３ｂはパッケージ２１に対して垂直方向にマウントされている。但し、本実施の形態では、ｐｉｎ−ＰＤチップ上のレーザダイオードを互いに９０度異なる向きに設けたＬＯＰをフォトダイオードＩＣ上にマウントしたものである。また、水平方向にマウントされるレーザダイオード２３ａに対して９０異なる方位でｐｉｎ−ＰＤチップ３３ｂ上にマウント（垂直マウント）されるレーザダイオード２３ｂは、例えば、ｐｉｎ−ＰＤチップ上にレーザダイオードをマウントする装置を用い、通常のチップマウント時に、レーザダイオード供給シートによりピックアップの後に、中間ステージに一時移し、ここでレーザダイオードを９０度反転した後、ｐｉｎ−ＰＤチップ上にマウントすればよい。
【００８５】
このようにレーザダイオードのマウント面を変更することによって、パッケージ２１から、それぞれ直線偏光であってかつ９０度方位の異なる偏光状態を有するレーザ光を実質的に平行方向に出射できる。
【００８６】
なお、本実施の形態では、上述した第２の実施の形態と同様に、熱特性に劣るレーザダイオードを水平にマウントすることが望ましい。
【００８７】
次に、本実施の形態に基づく光源部の作成方法を図９を参照に説明する。図９は、レーザダイオード３２ａとは９０度方位の異なるレーザダイオード３２ｂを、半田５３ｃ及び５３ｄが所定パターニングされたｐｉｎ−ＰＤチップ３３ｂ上に配置する場合の例である。
【００８８】
即ち、図９（Ａ）に示したように、所定のＩＣ構造を有しかつ所定パターニングされた半田５３ｃ及び５３ｄが設けられているｐｉｎ−ＰＤチップ３３ｂ上に、Ｐメタル５４ａとＮメタル５４ｂとをその表面領域に有するレーザダイオード３２ｂを図示の如く接着することによって、図９（Ｂ）に示したように（但し、この図は、図９（Ａ）の上面図である）、ｐｉｎ−ＰＤチップ３３ｂ上の所定位置にレーザダイオード３２ｂを、通常の水平マウントとは９０度方位の異なる向きでマウントできる。なお、ワイヤ５５ａ及び５５ｂはパッケージ又はフォトダイオードＩＣのリードへ接続されるようになされている。
【００８９】
第４の実施の形態
図７を参照に第４の実施の形態を説明する。
【００９０】
本実施の形態に基づくレーザ光出射装置は、パッケージ４５内に２つのレーザダイオードを有するフォトダイオードＩＣ上に配したレーザカプラを設け、それぞれのレーザダイオードから実質的に平行方向に出射される光ビームが、互いに９０度異なる偏光状態となるように構成したものであって、２波長対応の共通のプリズム４７及び２波長対応設計の共通のフォトダイオードＩＣ４８を用いて、１つのフォトダイオードＩＣ上にＬＯＰ４６ａ及び４６ｂをマウントしたものである。但し、このパッケージから出射される２つの光ビームの波長帯域が同じである場合、２波長対応のプリズムや２波長対応設計のフォトダイオードＩＣを設ける必要はないので、各レーザカプラの相対的位置精度を出し易い。
【００９１】
例えば、ＬＯＰ４６ａを波長６５０ｎｍ対応、ＬＯＰ４６ｂを波長７８０ｎｍ対応とし、プリズム４７として波長６５０ｎｍ及び７８０ｎｍ対応のマイクロプリズム、ＰＤＩＣ４８として波長６５０ｎｍ及び７８０ｎｍ対応設計のフォトダイオードＩＣを使用することがきるが、ＬＯＰ４６ａ及び４６ｂが同一波長のレーザ光を出射する場合は、プリズム４７は１波長対応のプリズム、ＰＤＩＣ４６は１波長対応設計のフォトダイオードＩＣであってよい。
【００９２】
第５の実施の形態
図１０を参照に第５の実施の形態を説明する。
【００９３】
通常のファブリ・ペロー共振器構造を有するレーザダイオードの端面反射率はＴＥモードの方が高いので、ＴＥモードの方が選択的に発振する。ところが、例えば、その量子井戸構造の中に格子不整合による歪み（引っ張り歪み又は量子歪み）を有する系では、価電子帯バンドがスプリットして、ライトホールのエネルギー準位がヘビーホールのエネルギー準位よりも高くなる結果、ＴＭモードの電流利得が大きくなり、ＴＭモードが選択的に発振する。
【００９４】
例えば、波長７８０ｎｍ帯の発振波長を有するレーザダイオード６２ａと、波長６５０ｎｍ帯の発振波長を有するレーザダイオード６２ｂとを搭載している場合、波長６５０ｎｍ帯のレーザダイオードとして量子歪みの入っているレーザダイオードを使用すると、このレーザダイオード６３ｂがＴＥモード発振のレーザダイオードとなり、他方のレーザダイオード６３ａがＴＭモード発振のレーザダイオードとなる。
【００９５】
即ち、パッケージ６１から実質的に平行方向に出射される２つのレーザ光は、それぞれ直線偏光であってかつ９０度方位の異なる偏光状態を有するＴＭモード、ＴＥモードであるので、図１〜図３に記載した光学ピックアップを用いることにより、高い消光比をもってかつ簡易な構成で光軸変更でき、さらに最適焦点距離合わせや開口制限も実現できる。
【００９６】
第６の実施の形態
第１の実施の形態から第５の実施の形態では、異なる波長に対応したディスクフォーマットの対応を例にとったが、本実施の形態は、ＣＤ−ＲやＣＤ−ＲＷの書き込み用途及び読み取り用途に使用できる光ビーム出射装置である。
【００９７】
即ち、図示省略するが、第１〜第５の実施の形態と同様の装置構成にて、２つのレーザダイオードとして両方共に例えば波長７８０ｎｍ発振のレーザダイオードを用い、一方が低出力強度の読み取り用レーザダイオードであり、他方が高出力強度の書き込み用レーザダイオードとしてもよい。この場合、パッケージから出射される実質的に平行方向に光軸を有する２つのレーザ光は、光軸変更手段と対物レンズとを使用することによって、光軸変更、開口制限等をうけて信号検出に用いられ、この光軸変更手段としては、上述したように、異方性結晶板、偏光ホログラム等を使用できる。
【００９８】
以上、本発明を望ましい実施の形態について説明したが、本発明は上述した形態に限定されるものではない。
【００９９】
本発明の光学装置及び光ビーム出射装置では、例えば、図１〜図３に示した光学ピックアップの代わりに、図１１に示すように、レーザカプラ７１ａ及び７１ｂが配されているパッケージ７０の上面に、各レーザカプラから出射されるレーザ光の光路上に偏光ホログラム７３又は異方性結晶を有するカバー７２を設けてもよい。この場合には、光軸変更手段の配置が容易となり、またその配置精度も良好となる。
【０１００】
また、上述した各実施の形態において、レーザカプラにおけるｐｉｎ−ＰＤチップをそれぞれ別々に記載したが、共通のｐｉｎ−ＰＤにレーザダイオードを搭載していてもよく、また、共通のフォトダイオードＩＣ上にレーザダイオードやプリズムを搭載してもよい。さらに、３つ以上の光源を設けた構成にしても構わない。また、図１２に示したレーザカプラを構成し、本発明に基づいて互いに異なる偏光状態の光ビームを出射するようにしてもよい。
【０１０１】
また、本発明の光学装置及び光ビーム出射装置を光ディスクの光学ピックアップについて主に説明したが、本発明の光学装置はこれに限定されるものではなく、例えば、上記構成の光学装置において、光軸変更された光ビーム（即ち、合軸された光ビーム）を対物レンズにて光ファイバに絞り込めば、光通信用の光学装置として使用可能である。
【０１０２】
また、本発明の光学装置及び光ビーム出射装置は、ＣＤやＤＶＤ等の音楽又は画像の録音／再生に使用できる他、例えば、ＣＤ−ＲやＣＤ−ＲＷ、さらにはコンピュータ用の外部記憶装置、電子ファイル、画像ファイル等様々な用途に適用可能である。
【０１０３】
また、本発明の光学装置及び光ビーム出射装置は、光磁気ディスク（ＭＯやＭＤ）への対応も可能である。ＣＤやＤＶＤでは光の強度が信号となるので、レーザカプラから出射し、光軸偏光手段、対物レンズ等の光学系を介してディスクの反射面から戻ってきたレーザ光は、上述したように、それぞれ対応する検出部で検出できる。
【０１０４】
一方、光磁気ディスクでは、偏光方向がディスクの信号記録面で回転し、この回転を信号として検出するので、この回転成分がＣＤやＤＶＤと同様の光路では戻ってこない。そこで、この回転成分が戻ってくる位置に検出部を配することや、他方の検出部に戻るように設計すること等の対策をとれば、光磁気ディスクへの対応も十分に可能である。
【０１０５】
【発明の作用効果】
本発明の光学装置によれば、共通基体上に設けられた光源部からの複数の出射光が、それぞれ互いに偏光状態の異なる光ビームとして導かれ、さらに、これらの光ビームの光路上に、異方性結晶及び偏光ホログラムからなる、偏光特性を利用した光軸変更手段が配され、この光軸変更手段を構成する異方性結晶によって前記複数の光ビームのうち所定の光ビームが他の光ビームと実質的に同一光軸上に光軸変更（合軸）されるように構成されているので、簡易な光学系を構成することができると同時に、光学系での光ビームの強度低下を最小限に抑えて高い消光比を得ることができ、高精度化、小型化および低コスト化を実現する光学装置を提供できる。つまり、共通基体上に前記複数の光源部が設けられており（特に、１つのパッケージ内に配することが可能であり）、また光学系を構成する光学部品の点数も少ないので、小型化、低コスト化が可能であると同時に、複数の光ビームの光軸変更を実現するに際し、各々の光ビームの偏光状態の違いを利用しているので、光学系における透過光強度を十分に確保し、高い消光比を得ることができる。しかも、光軸変更された光ビームは更に偏光ホログラムによって開口制限を受ける（球面収差が補正される）ので、より高精度に結像させることができる。
【０１０６】
本発明の光学装置に望ましく適用される光ビーム出射装置によれば、共通基体上に互いに分離された複数の光源部を有し、この共通基体から、互いに偏光状態が異なっており、かつ、実質的に平行方向に光軸を有する複数の光ビームが出射されるように構成されているので、互いに偏光状態が異なり、平行方向に光軸を有する複数の光ビームを、簡易な構成で出射させることができる。
【図面の簡単な説明】
【図１】  本発明の光学装置を説明するための光学ピックアップの概略図である。
【図２】  同、他の光学ピックアップの概略図である。
【図３】  本発明の光学装置に基づく光学ピックアップの概略図である。
【図４】第１の実施の形態に基づく光ビーム出射装置の上面図（Ａ）、この上面図のｂ−ｂ線断面図（Ｂ）、およびレーザカプラの構造を示す概略側面図（Ｃ）である。
【図５】第２の実施の形態に基づく光ビーム出射装置の上面図（Ａ）、この上面図のｂ−ｂ線断面図（Ｂ）である。
【図６】第３の実施の形態に基づく光ビーム出射装置の上面図（Ａ）、この上面図のｂ−ｂ線断面図（Ｂ）である。
【図７】第４の実施の形態に基づく光ビーム出射装置の上面図（Ａ）である。
【図８】第２の実施の形態に基づく光ビーム出射装置におけるＬＯＰを作製する際の手順を示す概略図である。
【図９】第３の実施の形態に基づく光ビーム出射装置におけるレーザダイオードを作製する際の手順を示す概略図である。
【図１０】第５の実施の形態に基づく光ビーム出射装置の上面図（Ａ）、この上面図のｂ−ｂ線断面図（Ｂ）である。
【図１１】本発明の光学装置に基づく光ビーム出射装置の変形例である。
【図１２】２つの異なる波長帯域のレーザ光を発振できる光学装置の一例の概略断面図である。
【図１３】同レーザ光を発振できる光学装置の他の一例の概略斜視図である。
【図１４】同レーザ光を発振できる光学装置の他の一例の概略斜視図である。
【図１５】同レーザ光を発振できる光学装置の他の一例の概略斜視図である。
【図１６】同レーザ光の波長選択性を有するホログラムの一例である。
【図１７】２つの異なる波長帯域のレーザ光を発振できる従来の光学装置の概略斜視図である。
【符号の説明】
１ａ、１ｂ、１ｃ、１０、２１、３０、４５、６１、７０…パッケージ、
２…光ディスク、３…ホログラム一体型対物レンズ、
４、４ａ、４ｂ…信号記録面、５、８、７３…偏光ホログラム、
６、１０６…対物レンズ、７…異方性結晶板、
１１、１１ａ、１１ｂ、２２ａ、２２ｂ、３１ａ、３１ｂ、６２ａ、
６２ｂ、７１ａ、７１ｂ、８０、８７ａ、８７ｂ、８８、１０４…レーザカプラ（ＬＣ）、
１２、１２ａ、１２ｂ、２３、２３ａ、２３ｂ、３２、３２ａ、３２ｂ、
６３ａ、６３ｂ、８１ａ、８１ｂ、８９ａ、８９ｂ、１０１ａ、１０１ｂ…レーザダイオード（ＬＤ）、
１３、１３ａ、１３ｂ、２６ａ、２６ｂ、４７、６５ａ、６５ｂ、８５、９１、１００…プリズム、
１４、１４ａ、１４ｂ、２４、２４ａ、２４ｂ、３３、３３ａ、３３ｂ、６４ａ、６４ｂ、８２、１０３…ｐｉｎ−ＰＤチップ、
１５、１５ａ、１５ｂ、２７ａ、２７ｂ、４８、９０…フォトダイオードＩＣ（ＰＤＩＣ）、
１６、１７、８４ａ、８４ｂ、９２ａ、９２ｂ、１０２ａ、１０２ｂ…フォトダイオード（ＰＤ）、
１８…ｐｉｎ−フォトダイオード（ｐｉｎ−ＰＤ）、
１９…ビームスプリッタ（ビームスプリット面）、
２０、２５ａ、２５ｂ、４６ａ、４６ｂ…ＬＯＰ、
５１、５５ａ、５５ｂ…ワイヤ、
５２ａ…ｐメタルパッド、５２ｂ…ｎメタルパッド、
５３ａ、５３ｂ、５３ｃ、５３ｄ…半田、
５４ａ…ｐメタル、５４ｂ…ｎメタル、７２…カバー、９３…チップ、
１０５、１０５ａ、１０５ｂ…ホログラフィック光学素子（ＨＯＥ）、
１１１ａ…ＣＤ用ＬＤ−ＰＤユニット、
１１１ｂ…ＤＶＤ用ＬＤ−ＰＤユニット、１１２ａ…ＰＤ、１１２ｂ…ＬＤ、
１１３…波長フィルター、１１４…集光レンズ、１１５…立ち上げミラー、
１１６…偏光ホログラム、１１７…開口フィルタ及び波長板、
１１８…対物レンズ
【図１】
0003835580.tif 000002
【図２】
0003835580.tif 000003
【図３】
0003835580.tif 000004
【図４】
0003835580.tif 000005
【図５】
0003835580.tif 000006
【図６】
0003835580.tif 000007
【図７】
0003835580.tif 000008
【図８】
0003835580.tif 000009
【図９】
0003835580.tif 000010
【図１０】
0003835580.tif 000011
【図１１】
0003835580.tif 000012
【図１２】
0003835580.tif 000013
【図１３】
0003835580.tif 000014
【図１４】
0003835580.tif 000015
【図１５】
0003835580.tif 000016
【図１６】
0003835580.tif 000017
【図１７】
0003835580.tif 000018